(57)【要約】【課題】血液透析における実血流量を容易にかつ精度良くしかも迅速に測定できるようにしたシステムを提供する。【解決手段】血液ポンプの上流側に補液を注入する補液注入手段と、血液透析要素の上流側の圧力を検出する圧力検出手段を有し、かつ、血液ポンプの設定血流量と、補液注入手段による血液流路内への補液の注入前後の、上記圧力検出手段による検出圧力とから、血液透析における実血流量を算出する実血流量演算手段を有することを特徴とする、血液透析装置の実血流量測定システム。【選択図】  図１
2004329746.tif 000002
【特許請求の範囲】
【請求項１】
患者の体内との間で血液を循環させる血液流路と透析液流路との間で血液透析を行う血液透析要素と、血液流路の血液透析要素の上流側に設けられたチューブポンプからなる血液ポンプとを有する血液透析装置において、前記血液ポンプの上流側の血液流路内に補液を注入する補液注入手段を有するとともに、前記血液透析要素の上流側または下流側の血液流路の圧力を検出する圧力検出手段を有し、かつ、前記血液ポンプの設定血流量と、前記補液注入手段による血液流路内への補液の注入前後の、前記圧力検出手段による検出圧力とから、血液透析における実血流量を算出する実血流量演算手段を有することを特徴とする、血液透析装置の実血流量測定システム。
【請求項２】
前記実血流量演算手段は、前記血液ポンプの大気圧下で設定された設定血流量をＱｂ、前記補液注入手段により血液流路内に補液が注入される前の圧力値をＰ０、注入された後の圧力の最大値をＰｍａｘとするとき、実血流量Ｑｂｔを、
Ｑｂｔ＝（Ｐ０／Ｐｍａｘ）×Ｑｂ
として算出する、請求項１の血液透析装置の実血流量測定システム。
【請求項３】
前記補液注入手段により血液流路内に補液が予め定められた一定時間または／および一定量注入される、請求項１または２の血液透析装置の実血流量測定システム。
【請求項４】
前記補液が生理食塩液からなる、請求項１〜３のいずれかに記載の血液透析装置の実血流量測定システム。
【発明の詳細な説明】
【０００１】
【発明の属する技術分野】
本発明は、血液透析装置の実血流量測定システムに関し、とくに、実際に血液透析を行う際の実血流量を迅速にかつ精度良く求めることができるシステムに関する。
【０００２】
【従来の技術】
血液透析においては、患者の動脈側から採血され、体外の血液透析装置で透析した後の浄化された血液が静脈側に戻される。血液透析装置は既に広く実用化されており、代表的なものとして、たとえば特許文献１や特許文献２等に記載されたものが知られている。血液透析装置では、血液透析を行うための血液透析要素として、透析膜を内在させた血液透析要素（ダイアライザー）が用いられ、患者の動脈側から送られてきた血液中から、血液透析要素内で血液流路側と透析液流路側との間で透析膜を介して尿成分等が除去され、また、余剰水分が除水されて、透析後の血液が患者の静脈側へと戻される。この患者の体内との間の血液の送液・循環には、通常、血液流路中の血液透析要素の上流側に設けられたチューブポンプからなる血液ポンプが用いられている。
【０００３】
この体外循環用のチューブポンプからなる血液ポンプの吐出量の調整、設定は、通常、血液ポンプの一次側（吸入側）を大気開放した状態で行われ、たとえば、２００ｍＬ／分程度に設定される。
【０００４】
ところが、実際に血液透析を行っている場合には、患者の動脈側から、比較的粘度の高い血液を、血液ポンプの一次側を通して血液ポンプに吸入し、所定の設定血流量に設定されている血液ポンプを介して吐出し、その血液を血液透析要素へと供給し、透析後の血液を静脈側に戻すようにしている。したがって、実際の血液透析中には、血液ポンプの一次側は、たとえば−２００〜−３００ｍｍＨｇ程度の陰圧状態になっていることが多い。とくに、患者からの採血用に、細い動脈側穿刺針を使う場合には、必然的に陰圧状態になる。このように血液ポンプの一次側が陰圧状態になると、実際の血液ポンプの吐出量（実血流量）は、上記設定血流量よりも少なくなっていることが多い。
【０００５】
血液透析要素（ダイアライザー）の透析効率や発揮すべき性能は、通常、時間当たりの総血流量で透析効率を判断するようにしているので、上記のように血液ポンプの設定血流量と実血流量との間にずれが生じた場合、設定血流量で判断したのでは、最適な透析時間の設定や血液透析要素の最適設定を、正確に行うことができなくなる。
【０００６】
【特許文献１】
特公昭５６−８２号公報
【特許文献２】
特公昭６１−２５３８２号公報
【０００７】
【発明が解決しようとする課題】
そこで本発明の課題は、上記のような実情に鑑み、簡単な方式により、血液透析における実血流量を容易にかつ精度良くしかも迅速に測定できるようにした、血液透析装置の実血流量測定システムを提供することにある。
【０００８】
【課題を解決するための手段】
上記課題を解決するために、本発明に係る血液透析装置の実血流量測定システムは、患者の体内との間で血液を循環させる血液流路と透析液流路との間で血液透析を行う血液透析要素と、血液流路の血液透析要素の上流側に設けられたチューブポンプからなる血液ポンプとを有する血液透析装置において、前記血液ポンプの上流側の血液流路内に補液を注入する補液注入手段を有するとともに、前記血液透析要素の上流側または下流側の血液流路の圧力を検出する圧力検出手段を有し、かつ、前記血液ポンプの設定血流量と、前記補液注入手段による血液流路内への補液の注入前後の、前記圧力検出手段による検出圧力とから、血液透析における実血流量を算出する実血流量演算手段を有することを特徴とするシステムからなる。
【０００９】
このシステムにおいては、上記実血流量演算手段は、血液ポンプの大気圧下で設定された設定血流量をＱｂ、上記補液注入手段により血液流路内に補液が注入される前の圧力値をＰ０、注入された後の圧力の最大値をＰｍａｘとするとき、実血流量Ｑｂｔを、
Ｑｂｔ＝（Ｐ０／Ｐｍａｘ）×Ｑｂ
として算出する。
【００１０】
すなわち、血液流路に血液が流れている場合、前述の如く血液ポンプの一次側は陰圧になっていることが多く、そのため、血液ポンプの吐出量は大気圧下で設定された設定血流量よりも低くなっていることが多い。しかし、実際の血液よりも粘度の低い補液が注入されると、瞬間的に血液ポンプの一次側の陰圧状態が解放されて大気圧状態に近づき、血液ポンプの吐出量が増大して動脈側圧力も増加する圧力挙動を示す。したがってこの圧力挙動における、補液注入直後の最大圧力Ｐｍａｘと、補液注入前の初期圧力値Ｐ０との比が、設定血流量と実血流量との比に相当するとみなすことができ、上式によって実血流量を容易に、かつ迅速に精度良く求めることができるようにしたものである。
【００１１】
上記補液注入手段による血液流路内への補液の注入は、予め定められた一定時間または／および一定量行えばよい。上記のような圧力挙動を測定できれば、上式によって即座に実血流量を算出できるから、この圧力挙動を得るに足る時間、量だけ補液を注入すれば十分である。たとえば、１００ｍＬ以下の補液注入で十分である。また、上記補液としては、たとえば、通常使用されている生理食塩液を用いればよい。
【００１２】
また、チューブポンプからなる血液ポンプとしては、定量性のあるものであればよく、一般的に用いられている複数のローラを備えたチューブポンプを使用できる。この血液ポンプを構成するチューブポンプは、一対のローラを有するポンプ、３つあるいはそれ以上のローラを有するポンプのいずれであってもよい。
【００１３】
【発明の実施の形態】
以下に、本発明の望ましい実施の形態を、図面を参照して説明する。
図１は、本発明の一実施態様に係る血液透析装置の概略構成図を示しており、図２は、その装置に補液を注入した際の動脈側の圧力挙動の例を示している。
【００１４】
図１において、１は、患者の動脈側２からの血液を血液透析後に静脈側３へと戻すように循環させる血液流路を示している。血液流路１中の血液は、一対のローラ４ａを備えたチューブポンプからなる血液ポンプ４によって定量送液され、血液透析要素としての血液透析フィルター５（ダイアライザー）内で、血液流路１と透析液流路６との間で透析膜７を介して血液透析される。透析膜７は、実際には、たとえば多数の中空糸膜からなるが、図１では模式的に示してある。
【００１５】
透析液は、たとえば図１に示したように、調製済透析液供給装置８から供給された透析液を、計量チャンバー９の一方の室９ａから膜１０の押圧を介して吐出し、フィルター１１を介して血液透析フィルター５に供給される。血液透析済みの透析液は、循環ポンプ１２によって計量チャンバー９の他方の室９ｂに戻されるとともに、除水ポンプ１３を介して一部が除水される。
【００１６】
本実施態様においては、血液流路１の血液透析フィルター５の上流側の位置でかつ、血液ポンプ４と血液透析フィルター５との間の位置には、血液流路１中の圧力を検知する圧力センサ１４が設けられており、血液透析フィルター５の下流側の位置には圧力センサ１５が設けられている。圧力センサ１４は患者の動脈側に対応する圧力を検知し、圧力センサ１５は静脈側に対応する圧力を検知し、その差圧はそのときの患者の血圧に対応している。つまり、血液透析フィルター５は、血液流路１中の圧力損失に関して、いわゆる粘度計と同じ機能を有し、そのときの血液の状態に対応した圧力損失を生じさせ、その圧力損失、つまり圧力センサ１４、１５の差圧は患者の血圧に対応している。
【００１７】
本発明における実血流量の算出には、血液透析フィルター５の上流側に設けられている圧力センサ１４によって検出された圧力検出信号、下流側に設けられている圧力センサ１５によって検出された圧力検出信号のいずれを用いてもよい。本実施態様では、図２に示すように、血液透析フィルター５の上流側に設けられている圧力センサ１４によって検出された圧力検出信号、つまり、動脈側の圧力検出値である動脈圧Ｐａが、実血流量の算出に用いられている。
【００１８】
圧力センサ１４、１５による圧力検出信号、とくに圧力センサ１４による圧力検出信号は制御装置１６に送られる。そして、実血流量を測定する際には、補液注入手段１７によって、血液ポンプ４の上流側の血液流路内に補液が注入され、その際に生じる、図２に示すような圧力挙動（圧力センサ１４によって検出される動脈圧Ｐａの挙動）から、制御装置１６により実血流量が算出される。したがって、制御装置１６は、本発明における実血流量演算手段も構成している。補液注入手段１７としては、チューブポンプやシリンジポンプなどの定量注入可能なポンプを用いればよい。注入補液としては、本実施態様では生理食塩液１８が用いられている。
【００１９】
補液として生理食塩液を注入した場合（図２に「生食注入」と表記）の動脈圧Ｐａの挙動は、たとえば図２に示すようになる。血液透析中は、前述の如く、血液ポンプ４の一次側の圧力は−２００〜−３００ｍｍＨｇ程度の陰圧になっていることが多く、それに対応した、生理食塩液注入前の初期動脈圧Ｐａ０が検出される。血液ポンプ４の一次側から一定時間生理食塩液が注入されると、血液ポンプ４により吸入、吐出される血液が生理食塩液で希釈され、図２に示すように瞬間的に血液ポンプ４一次側の陰圧状態が解放されて大気圧状態に近づき、血液ポンプ４の吐出量が上昇し動脈圧Ｐａも増加する。増加する動脈圧Ｐａは、生理食塩液の注入量に応じてやがて最大値Ｐａｍａｘに至り、そこから再び希釈されていない血液が吸入、吐出されるので、血液ポンプ４の吐出量が低下し動脈圧Ｐａも低下し、アンダーシュートしたのち、再び初期動脈圧Ｐａ０に落ち着く。
【００２０】
上記のような挙動においては、血液ポンプ４周りの配管等の抵抗は同じであるから、血液ポンプ４の吐出量（流速）と吐出圧（動脈圧Ｐａ）とは実質的に比例する。したがって、血液ポンプ４の大気圧下で設定された設定血流量をＱｂとしたとき、上記生理食塩液が注入される前の圧力値Ｐａ０、注入された後の圧力の最大値Ｐａｍａｘから、実血流量Ｑｂｔは次式で算出することができる。
Ｑｂｔ＝（Ｐａ０／Ｐａｍａｘ）×Ｑｂ
ここで、Ｑｂｔ：実血流量（ｍＬ／分）
Ｐａ０：生理食塩液注入前の初期動脈圧（ｍｍＨｇ）
Ｐａｍａｘ：生理食塩液注入後の最大動脈圧（ｍｍＨｇ）
Ｑｂ：血液ポンプの一次側が大気開放の状態で調整、設定された設定血流量（ｍＬ／分）
である。
【００２１】
このように、上記演算により、生理食塩液注入前後の動脈圧Ｐａの挙動を測定するという、極めて簡単な手法により、迅速に精度良く実血流量Ｑｂｔが求められることになる。
【００２２】
【発明の効果】
以上説明したように、本発明に係る血液透析装置の実血流量測定システムによれば、極めて簡単な回路構成でありながら、補液注入前後の血液回路の圧力挙動を測定するだけで、実血流量を容易にかつ精度良くしかも迅速に算出することができる。これによって、血液透析要素が最適な仕様に設定されているかどうかの判断や、その血液透析要素を用いた透析の効率や透析設定時間の判断を的確に行うことができるようになる。
【図面の簡単な説明】
【図１】本発明の一実施態様に係る血液透析装置の概略構成図である。
【図２】図１の装置において補液（生理食塩液）を注入した場合の動脈圧の挙動例を示す特性図である。
【符号の説明】
１  血液流路
２  動脈側
３  静脈側
４  血液ポンプ
４ａ  血液ポンプのローラ
５  血液透析要素としての血液透析フィルター（ダイアライザー）
６  透析液流路
７  透析膜
８  調製済透析液供給装置
９  計量チャンバー
１０  膜
１１  フィルター
１２  循環ポンプ
１３  除水ポンプ
１４、１５  圧力センサ
１６  実血流量測定手段を構成する制御装置
１７  補液注入手段
１８  補液としての生理食塩液
【図１】
2004329746.tif 000003
【図２】
2004329746.tif 000004